(57)【要約】【課題】保持体を摘まんで鍵本体のブレードを錠前の鍵穴に大雑把な角度で挿入しても鍵を錠前に容易に差し込むことができること。【解決手段】表面に透孔状の開口部或いは三面開口の切欠部を有する保持体と、該保持体に回転自在に軸支され、その摘み部の全部又は一部が開口部或いは三面開口の切欠部に位置すると共に、外周面が３回転対称以上の多角形状に形成されかつ外周面にキーコードを有するブレードが前記保持体の先端部から突出する鍵本体とから成る錠前用の鍵であって、保持体は錠前の内筒の鍵穴に挿入する際に使用される第一次操作部分としたものであり、これに対して、鍵本体の摘み部は前記ブレードを前記鍵穴に完全に挿入した後に該摘み部の表面を指で摘まんで使用される第２次操作部分としたものであることを特徴とする錠前用の鍵。【選択図】図３
2016138423.tif 000002
【特許請求の範囲】
【請求項１】
表面に透孔状の開口部或いは三面開口の切欠部を有する保持体と、該保持体に回転自在に軸支され、その摘み部の全部又は一部が前記開口部或いは三面開口の切欠部に位置すると共に、外周面が３回転対称以上の多角形状に形成され、かつ前記外周面にキーコードを有するブレードが前記保持体の先端部から突出する鍵本体とから成る錠前用の鍵であって、前記保持体は錠前の内筒の鍵穴に挿入する際に使用される第一次操作部分としたものであり、これに対して、前記鍵本体の摘み部は前記ブレードを前記鍵穴に完全に挿入した後に該摘み部の表面を指で摘まんで使用される第２次操作部分としたものであることを特徴とする錠前用の鍵。
【請求項２】
請求項１に於いて、保持体の開口部は、鍵本体の摘み部を少なくとも二本の指で摘まむことができるように該保持体の表面の一部の複数個所に形成され、また前記摘み部の基本的な外観形状は、でんでん太鼓、円形或いは多角形の短柱、球体、ビヤ樽、すい台のいずれかであることを特徴とする錠前用の鍵。
【請求項３】
先端部から後端部に向かって水平軸孔を有する外周面円形又は外周面多角形の筒状保持体と、該筒状保持体に回転自在に軸支され、その摘み部が該筒状保持体の前記先端部又は後端部のいずれかに位置するように水平軸部が前記水平軸孔に嵌挿されていると共に、外周面が３回転対称以上の多角形状に形成され、かつ前記外周面にキーコードを有するブレードが前記筒状保持体の先端部側に突出する鍵本体とから成る錠前用の鍵であって、前記筒状保持体は錠前の内筒の鍵穴に挿入する際に指で摘まんで使用される第一次操作部分としたものであり、これに対して、前記鍵本体の摘み部は前記ブレードを前記鍵穴に完全に挿入した後に該摘み部の表面を指で摘まんで使用される第２次操作部分としたものであることを特徴とする錠前用の鍵。
【請求項４】
表面に二面開口の切欠部或いは一側表面に凹陥部を有する保持体と、該保持体に回転自在に軸支され、その摘み部の全部又は一部が前記二面開口の切欠部或いは凹陥部に位置すると共に、外周面が３回転対称以上の多角形状に形成され、かつ前記外周面にキーコードを有するブレードが前記保持体の先端部から突出する鍵本体とから成る錠前用の鍵であって、前記保持体は錠前の内筒の鍵穴に挿入する際に使用される第一次操作部分としたものであり、これに対して、前記鍵本体の摘み部は前記ブレードを前記鍵穴に完全に挿入した後に該摘み部の表面及び前記保持体の他側表面の両方を指で摘まんで使用される第２次操作部分としたものであることを特徴とする錠前用の鍵。
【請求項５】
請求項１、請求項３、請求項４のいずれかに於いて、錠前は、外筒と、該外筒に対して回転可能に設けられ、かつ鍵穴の先端部に外拡案内面を有する内筒とを備え、前記鍵穴にブレードの先端部を差し込んだ時、該ブレードのキーコードと前記内筒の回転軸と直交す軸直角断面上に位置するタンブラーが一致する建具用のシリンダー錠であることを特徴とする錠前用の鍵。
【発明の詳細な説明】
【技術分野】
【０００１】
本発明は建具の錠前用の鍵に関し、特に建具用のシリンダー錠に使用できる鍵に関する。
【背景技術】
【０００２】
特許文献１は出願人が提案したものである。この特許文献１には、合鍵挿入時の利便性を可能な限り追及しながら、（１）鍵本体が、摘み部と、該摘み部に回転自在に設けられ、その断面形状が、例えば３回転対称以上の多角形に形成されていると共に、外周面にキーコードを有するブレードとから成り、前記鍵本体を前記錠本体の鍵穴に完全に差込んだ時、前記内筒と鍵本体のそれぞれに設けた係合手段を介して、前記鍵本体の回転力が前記内筒に伝わる実施形態と、（２）鍵本体が、摘み部と、該摘み部に回転自在に設けられ、その断面形状が３回転対称以上の多角形に形成されていると共に、外周面にキーコードを有するブレードと、前記摘み部に設けられ、挿入時に内筒の前面に当接する可動トリガーとから成り、前記鍵本体を前記錠本体の鍵穴に完全に差込んだ時、前記トリガーの後退動を介して、かつ前記内筒と鍵本体のそれぞれに設けた係合手段を介して、前記鍵本体の回転力が前記内筒に伝わる実施形態が記載されている。
【先行技術文献】
【特許文献】
【０００３】
【特許文献１】特開２０１４−２０８９５８号公報
【発明の概要】
【発明が解決しようとする課題】
【０００４】
本願発明の主たる課題は、特許文献１の上記（１）の実施形態の延長線上で創作されたものであるが、内筒の内周面と鍵本体の外周面に係合手段（例えば凹凸）を設けなくても良い新たな解決手段により、鍵（保持体に軸支された鍵本体）を錠前（錠本体）に容易に差し込むことができることである。すなわち、本願発明の主たる課題は、鍵本体のブレードを錠前の鍵穴に差込む時、ブレードの外周面と鍵穴の内周面が完全に一致しない場合であっても、鍵本体を回転自在に保持する保持体を摘みながら鍵穴方向に押し込むと、鍵本体が所要量回転してブレードの外周面と鍵穴の内周面がスムースに一致すると共に、鍵本体のブレードが錠前の鍵穴に完全に入り込んだ時には、鍵本体の摘み部を直接指で摘まんで錠前を施・解錠することができることである。次に本願発明の従たる課題は、鍵本体を回転自在に保持する保持体及び該保持体内に位置する鍵本体の摘み部を保持体の透孔状の開口部或いは三面開口の切欠部、さらには実施形態如何によっては二面開口の切欠部或いは一側表面に形成された凹陥部により視覚上明確に区別し、それぞれを確実に摘むことができることである。
【課題を解決するための手段】
【０００５】
本発明の錠前用の鍵は、表面に透孔状の開口部或いは三面開口の切欠部を有する保持体と、該保持体に回転自在に軸支され、その摘み部の全部又は一部が前記開口部或いは三面開口の切欠部に位置すると共に、外周面が３回転対称以上の多角形状に形成され、かつ前記外周面にキーコードを有するブレードが前記保持体の先端部から突出する鍵本体とから成る錠前用の鍵であって、前記保持体は錠前の内筒の鍵穴に挿入する際に使用される第一次操作部分としたものであり、これに対して、前記鍵本体の摘み部は前記ブレードを前記鍵穴に完全に挿入した後に該摘み部の表面を指で摘まんで使用される第２次操作部分としたものであることを特徴とする。
【０００６】
また本発明の錠前用の鍵は、先端部から後端部に向かって水平軸孔を有する外周面円形又は外周面多角形の筒状保持体と、該筒状保持体に回転自在に軸支され、その摘み部が該筒状保持体の前記先端部又は後端部のいずれかに位置するように水平軸部が前記水平軸孔に嵌挿されていると共に、外周面が３回転対称以上の多角形状に形成され、かつ前記外周面にキーコードを有するブレードが前記筒状保持体の先端部側に突出する鍵本体とから成る錠前用の鍵であって、前記筒状保持体は錠前の内筒の鍵穴に挿入する際に指で摘まんで使用される第一次操作部分としたものであり、これに対して、前記鍵本体の摘み部は前記ブレードを前記鍵穴に完全に挿入した後に該摘み部の表面を指で摘まんで使用される第２次操作部分としたものであることを特徴とする。
【０００７】
さらに本発明の錠前用の鍵は、表面に二面開口の切欠部或いは一側表面に凹陥部を有する保持体と、該保持体に回転自在に軸支され、その摘み部の全部又は一部が前記二面開口の切欠部或いは凹陥部に位置すると共に、外周面が３回転対称以上の多角形状に形成され、かつ前記外周面にキーコードを有するブレードが前記保持体の先端部から突出する鍵本体とから成る錠前用の鍵であって、前記保持体は錠前の内筒の鍵穴に挿入する際に使用される第一次操作部分としたものであり、これに対して、前記鍵本体の摘み部は前記ブレードを前記鍵穴に完全に挿入した後に該摘み部の表面及び前記保持体の他側表面の両方を指で摘まんで使用される第２次操作部分としたものであることを特徴とする。
【０００８】
ここで、「二面開口の切欠部」とは、一側表面と、該一側表面と略直交する或いは略弧状に連続する他の表面に亘って切欠された凹所をいう。したがって、「三面開口の切欠部」も、前記二面開口の切欠部と同様に解釈されるものである。
【発明の効果】
【０００９】
（ａ）各独立請求項に記載の発明は、摘み部を摘まんで、ブレードを錠前の鍵穴に大雑把な角度で挿入しても鍵本体を錠前（錠本体）に容易に差し込むことができることを前提としながら、鍵本体のブレードを錠前の鍵穴に差込む時、ブレードの外周面と鍵穴の内周面が完全に一致しない場合であっても、鍵本体を回転自在に保持する保持体を摘みながら鍵穴方向に押し込むと、鍵本体が所要量回転してブレードの外周面と鍵穴の内周面がスムースに一致すると共に、鍵本体のブレードが錠前の鍵穴に完全に入り込んだ時には、保持体の透孔状の開口部、或いは切欠部、或いは又凹陥部を介して鍵本体の摘み部の表面を指で摘まんで錠前を施・解錠することができる。
（ｂ）請求項２に記載の発明は、保持体の貫通状開口部は、鍵本体の摘み部を少なくとも二本の指で摘まむことができるように表面の一部の複数個所に形成されているので、また前記摘み部の基本的な外観形状は、でんでん太鼓、円形或いは多角形の短柱、球体、ビヤ樽、すい台のいずれかであるから、保持体及び摘み部の表面を確実に摘むことができる。
（ｃ）請求項５に記載の発明は、タンブラーを有する建具用の錠前に使用することができる。
【図面の簡単な説明】
【００１０】
図１乃至図１８は本発明の第１実施形態を示す各説明図、図１９乃至図２３は本発明の第２実施形態を示す各説明図、図２４乃至図２７は本発明の第３実施形態を示す各説明図、図２８乃至図３１は本発明の第４実施形態を示す各説明図である。また図３２乃至図３６は本発明の第５実施形態を示す各説明図、図３７乃至図４１は本発明の第６実施形態を示す各説明図、図４２乃至図４６は本発明の第７実施形態を示す各説明図、図４７至図４９は本発明の第８実施形態を示す各説明図である。
【図１】鍵の正面視を一部切欠した概略説明図。
【図２】図１の２−２線拡大断面図。
【図３】鍵を後端部（保持体）側から見た斜視図。
【図４】鍵を先端部（ブレード）側から見た斜視図。
【図５】鍵を構成する保持体と鍵本体の分解斜視図。
【図６】鍵を鍵穴に挿入する時、保持体を摘まんでいる状態を示す概略断面説明図。
【図７】鍵を鍵穴に挿入した後、鍵本体の摘み部を摘まんでいる状態を示す概略断面説明図。
【図８】錠前（錠本体）Ｘの先端部を示す説明図。
【図９】錠前Ｘの正面視からの説明図。
【図１０】（ａ）は鍵穴の先端挿入口の幅とブレードの外径の寸法差を示す正面視からの概略説明図。（ｂ）は鍵穴の先端挿入口の幅と鍵穴本体の受入口の大きさを示す概略説明図。
【図１１】ブレードを鍵穴に挿入乃至挿入した場合に説明図（断面はブレード）。
【図１２】鍵穴を示す概略断面説明図。
【図１３】内筒側の係合ピンと４回転対称のブレードとの整合性を示す説明図。
【図１４】錠前Ｘの軸方向の概略断面説明図。
【図１５】（ａ）と（ｂ）は内筒の回転軸に対して直交する軸直角方向の概略断面説明図であるが、それぞれ断面位置が相違する。
【図１６】鍵穴に挿入の際、ブレードの先端部が鍵穴の外拡案内面に誘導された時の説明図。
【図１７】鍵のブレードの先端部を内筒の鍵穴に完全に差込んだ状態の概略説明図。
【図１８】（ａ）は内筒と鍵との結合状態の概略断面説明図。（ｂ）は（ａ）の状態のまま時計方向へ９０度回した概略断面説明図。
【図１９】第２実施形態の図１と同様の概略説明図。
【図２０】図２と同様に、図１９の２０−２０線断面図。
【図２１】図５と同様に、分解斜視図。
【図２２】鍵を鍵穴に挿入する時、保持体を摘まんでいる状態を示す概略断面説明図。
【図２３】鍵を鍵穴に挿入した後、鍵本体の摘み部を摘まんでいる状態を示す概略断面説明図。
【図２４】第３実施形態の概略説明図。
【図２５】第１実施形態の図５又は第２実施形態の図２１と同様の分解斜視図。
【図２６】鍵を鍵穴に挿入する時、保持体を摘まんでいる状態を示す概略説明図（保持体を断面で示す）。
【図２７】鍵を鍵穴に挿入した後、鍵本体の摘み部を摘まんでいる状態を示す概略説明図（保持体を断面で示す）。
【図２８】第４実施形態の一部切欠した概略説明図。
【図２９】第３実施形態の図２５と同様の分解斜視図。
【図３０】鍵を鍵穴に挿入する時、保持体を摘まんでいる状態を示す概略説明図（摘み部及び保持体を断面で示す）。
【図３１】鍵を鍵穴に挿入した後、鍵本体の摘み部を摘まんでいる状態を示す概略説明図（摘み部及び保持体を断面で示す）。
【図３２】第５実施形態の一部切欠した概略説明図。
【図３３】斜視図。
【図３４】分解斜視図。
【図３５】鍵を鍵穴に挿入する時、保持体を摘まんでいる状態を示す概略説明図。
【図３６】鍵を鍵穴に挿入した後、鍵本体の摘み部を摘まんでいる状態を示す概略説明図（摘み部及び保持体を断面で示す）。
【図３７】第６実施形態の一部切欠した概略説明図。
【図３８】斜視図。
【図３９】分解斜視図。
【図４０】鍵を鍵穴に挿入する時、保持体を摘まんでいる状態を示す概略説明図。
【図４１】鍵を鍵穴に挿入した後、鍵本体の摘み部を摘まんでいる状態を示す概略説明図（摘み部及び保持体を断面で示す）。
【図４２】第７実施形態の斜視図。
【図４３】分解斜視図。
【図４４】図４２の４４−４４線概略断面説明図。
【図４５】鍵を鍵穴に挿入する時、保持体を摘まんでいる状態を示す概略説明図。
【図４６】鍵を鍵穴に挿入した後、鍵本体の摘み部の表面及び保持体の他側表面の両方を指で摘まんでいる状態を示す概略説明図（摘み部及び保持体を断面で示す）。
【図４７】第８実施形態の斜視図。
【図４８】図４７の４８−４８線概略断面説明図。
【図４９】図４７の４９−４９線概略断面説明図。
【発明を実施するための最良の形態】
【００１１】
図１乃至図１８は、本発明の第１実施形態の各説明図である。また図２４乃至図２７は本発明の第３実施形態を示す各説明図である。さらに、図２８乃至図３１は本発明の第４実施形態を示す各説明図である。加えて、図３２乃至図４９は本発明の第５実施形態、第６実施形態、第７実施形態等である。
【００１２】
なお、図１４に錠前の一例として、建具用のシリンダー錠（以下、「錠前Ｘ」という。）を示す。実施形態のシリンダー錠は、前記錠前Ｘと前記鍵Ｙとの組み合わせから成り、鍵Ｙのブレード２ｃを錠前Ｘの内筒１２の鍵穴１３に差し込んだ時、前記ブレードに形成されたキーコード８と錠前Ｘの内筒１２の回転軸Ｏと直交す軸直角断面上に位置するタンブラー２０が一致する（図１７を参照）。図１４の錠前Ｘは、普通一般の錠前と同様に、外筒１１、内筒１２、鍵穴１３、可動障害子２０等から構成されている。また材質自体から識別機能を発揮させるために、本発明の各実施形態では、保持体（１、１Ａ乃至１Ｇ）は硬質の合成樹脂材で成形され、一方、鍵本体（２、２Ａ乃至２Ｇ）は前記合成樹脂材とは色彩が異なる金属で成形されている。
【００１３】
まず、図１乃至図７を参照にして、第１実施形態の鍵Ｙの構成を簡単に説明する。鍵Ｙは、少なくとも二本の指で摘まむことができる大きさに形成され、かつ表面の一部である対向側面１ａ、１ａに円形又は多角形の貫通状開口部（一つの透孔）３を有する保持体１と、該保持体１に単数又は複数の水平軸（実施形態では前後の横軸）２ｂ、２ｅを介して回転自在に軸支され、その摘み部２ａが前記貫通状開口部内に位置すると共に、外周面が３回転対称以上の多角形状に形成され、かつ前記外周面にキーコード８を有するブレード２ｃが前記保持体１の先端部から突出する鍵本体２とから成る。前記貫通状開口部（一つの透孔）３には、後述する摘み部２ａの表面の一部が常時表れている。
【００１４】
ところで、鍵Ｙを建具の扉に取付けられた錠前Ｘの鍵穴１３に挿入する場合、保持体１が略垂直状態、略水平状態、斜めの状態等、色々な態様でブレードを鍵穴に挿入することができるので、ここでは、鍵挿入時の一態様である図１を基準にして、表面の一部である「対向側面」、「側周表面」の各用語を用いる。ここで「保持体１」の表面とは前記対向側面と側周表面の両方を含む概念である。
【００１５】
そこで、図１を基準にすると、手前に見える幅広の一側面が一つの対向側面１ａで、該対向側面１ａの反対側（向う側）が他の対向側面１ａである。これらの幅広の対向側面１ａ、１ａの略中央部（中央部寄りの部位も含む）に、円形（実施形態）又は多角形の貫通状開口部（透孔）３が形成されている。また前記幅広の対向側面１ａ、１ａに対してやや曲面状或いは略直角状に連設する上面、該上面に続く前後の側面、該前後の側面に続く下面が側周表面１ｂである。付言すると、幅広の対向側面１ａ、１ａに貫通状開口部（透孔）３を有する摘み態様の保持体１の上下面と前後面が側周表面である。なお、保持体１の対向側面１ａ、１ａや側周表面１ｂを外方向に弧状に膨らんだ肉厚板状するか否かは、発明の目的を逸脱しない範囲において自由に設計変更し得る事項である。
【００１６】
４は保持体１の後端部の略中央部に形成された横向き凹所状係合孔で、該横向き凹所状係合孔４は貫通状支持孔５を介して貫通状開口部３に連通している。６は保持体１の首状先端部の略中央部に形成された前方の軸孔で、該前方の軸孔６も貫通状支持孔５に連通している。実施形態では、首状先端部の軸孔６と前述した後端部の貫通状支持孔５が鍵本体２を回転自在に軸支する軸受けの役割を果たす。
【００１７】
しかして、横向き凹所状係合孔４は、その形態や孔径により、鍵本体２の摘み部２ａが保持体１から抜けないようにする係止機能を発揮する。そこで、実施形態では、例えば横向き凹所状係合孔４の孔径は貫通状支持孔５の横方向のそれよりも大径である。また先端部の軸孔６の半径は、望ましくは後端部の貫通状支持孔５よりも大径である。さらに、実施形態では、でんでん太鼓形状の摘み部２ａの側周面の前面中央部から突出する外周円形の前方横軸（水平軸）２ｂは、保持体１の先端部から棒状に突出するブレード２ｃよりも小径である。
【００１８】
次に、鍵本体２の構成を説明する。鍵本体２は、「でんでん太鼓形状」の摘み部２ａを基準として、その側周面の前方側に一体的に設けた横軸２ｂと、該横軸２ｂに連設する棒状のブレード２ｃと、このブレード２ｃの先端部に形成された多角形かつ先細り状の被誘導先端部分２ｄとを有し、一方、前記側周面の後方側に後方横軸２ｅと、該後方横軸２ｅに連設し、かつ横向き凹所状係合孔４に遊び係合するフランジ２ｆを有する。
【００１９】
ところで、図５は「でんでん太鼓形状」の典型例を示すものであるが、本明細書の「でんでん太鼓形状」には、対峙する左右一対の対向側面イの形状が円形のものだけではなく、四角形、六角形、八角形などの多角形のもの、前記対向側面イを繋ぐ帯状外周面ロが前記対向側面イの形状の外周縁に対応して円形のものだけではなく、四角形、六角形、八角形などの多角形のものが含まれる。そして、特に図示しないが、前記帯状外周面ロは外方向に膨出する弧状であるのが望ましい。
【００２０】
鍵本体２は、その摘み部２ａが抜けないように保持体１に回転自在に支持されていると共に、前記摘み部２ａに連続するブレード２ｃの外周面は３回転対称以上の多角形状に形成され、かつ前記外周面にキーコード８を有する。さらに説明すると、ブレード２ｃの多角形の外周面には、例えば４回転対称となる位置に窪み８が多数形成されている。窪み８はキーコードの一例であり、説明の便宜上簡略的に説明している。
【００２１】
しかして、キーコード８は、３回転対称以上であれば各側面に形成された大小の刻みや窪みであっても良いことから、実施形態のキーコード８は、開口が大きくて凹所が深い窪み８ａと、開口が小さくて凹所が浅い窪み８ｂとから成る。また実施形態の鍵Ｙのブレード２ｃは、その垂直断面の形状が八角形であり、垂直断面の横幅Ｋ１と縦幅Ｋ２が略同一である（図１０、図１１を参照）。このように本発明の鍵Ｙのブレード２ｃの外周形状は３回転対称以上の、六角形、八角形等の多角形状に形成されている。
【００２２】
次に、図１４、図１５、図１６、図１７等を参照にして本実施形態の錠前Ｘを説明する。実施形態の錠前Ｘも、鍵Ｙのブレード２ｃを内筒１２の鍵穴１３に完全に差し込んだ時、ブレード２ｃに形成されたキーコード８としての窪みや刻みと内筒１２の回転軸（例えばテールピース）Ｏと直交する軸直角断面上に位置するタンブラー２０とが一致するシリンダー錠である点で、従来の錠前と基本的な構造は変わらない。
【００２３】
しかしながら、本発明の第１実施形態は、鍵穴１３に対するブレード２ｃの挿入角度が多少大雑把であっても、該ブレード２ｃが鍵穴１３の先端部の誘導穴の内周壁に形成された外拡案内面１３Ａに誘導された後、鍵Ｙを鍵穴１３の奥まで完全に差し込むことができる。
【００２４】
したがって、前記外拡案内面１３Ａは、鍵穴１３の先端挿入口の縁部分ａから鍵穴本体１３Ｂの受入口の縁部分ｂに至るにしたがって、次第に左右・上下の幅が狭くなっている。
【００２５】
しかして、例えば図８乃至図１２で示すように、鍵穴１３は、先端部の内周壁にややスクリュー状の外拡案内面１３Ａを有する誘導穴１３ａと、この誘導穴１３ａの後端に直ぐに或いは多少離間して連通する鍵穴本体１３Ｂとから成り、鍵穴１３の先端挿入口の縁部分ａの少なくとも左右・上下の内径（幅）Ｗ１、Ｗ２は、図１０で示すように鍵Ｙのブレード２ｃのブレード２ｃの左右・上下の外径（幅）Ｋ１、Ｋ２よりも大きい。また、前記先端挿入口の縁部分ａよりも奥に相当する先端部又は中央部のいずれかにブレード２ｃのキーコード８とタンブラー２０とが一致する位置へと受け入れる前記鍵穴本体１３Ｂが設けられている。
【００２６】
ここで、図９と図１１を参照にして説明する。まず図９は、鍵穴１３の先端部（挿入口の縁部分）ａと合鍵Ｙの棒状ブレード２ｃの外径の寸法差を示す正面視からの概略説明図である。内筒１２には、その回転軸に沿って、誘導穴１３ａと該誘導穴１３ａの連通する鍵穴本体１３Ｂとから成る鍵穴１３が形成され、本実施形態では、例えば図１１で示すようにブレード２ｃが多少左右方向に回転角度が傾いても（断面で示した部分の上方の長壁面が多少傾斜することを意味する。）、ブレード２ｃに設けた被誘導部分７ｃの弾劾状外周面は、鍵穴１３の先端挿入口の縁部分ａとの間に十分な寸法差（間隙）が設定されていることから、自由にブレード２ｃのブレード２ｃを誘導穴１３ａの先端挿入口の縁部分ａに嵌め合せることができる。
【００２７】
次に図９及び図１１は、鍵穴１３の、先端（挿入口）の縁部分ａと先端部寄りの部位或いは実施形態によっては中央部寄りの部位の受入口の縁部分ｂと後端部（奥部）ｃの左右上下の各内径（幅）Ｗ１、Ｗ２と鍵Ｙの棒状ブレード２ｃの左右上下の幅（大きさ）Ｋ１、Ｋ２の寸法差を示したものである。実施形態では、鍵穴１３の挿入口ａの形状は略真円形（Ｗ１とＷ２は同一）であるが、鍵Ｙの棒状ブレード２ｃの外周形状は、垂直断面の横幅Ｋ１と縦幅Ｋ２が同一の非正八角形である（図９参照）。
【００２８】
図１１を参照にすると、錠前Ｘの内筒１２の鍵穴１３の先端挿入口の縁部分ａの左右・上下の内径（幅）Ｗ１、Ｗ２は、鍵Ｙの棒状ブレード２ｃの面取りされた被誘導先端部分２ｄ乃至ブレード２ｃが余裕をもって遊嵌合する大きさであり、一方、前記鍵穴１３の少なくとも鍵穴本体１３Ｂの受入口の縁部分ｂの内径（幅）は、前記先端挿入口の縁部分ａの内径（幅）Ｗ１、Ｗ２よりも小さいので、鍵穴１３に対する挿入角度が多少大雑把であっても、つまり、合鍵Ｙの保持体１をもって棒状ブレード２ｃの差し込み角度がいい加減であっても、棒状ブレード２ｃの被誘導先端部分２ｄ乃至ブレード２ｃを先端（挿入口）の縁部分ａ内に余裕をもって嵌め合せることができる。
【００２９】
そこで、ブレード２ｃを鍵穴１３に差込む場合には、保持体１を摘まみ、ブレード２ｃの先端部に形成された先細り状の被誘導先端部分２ｄを鍵穴１３の先端挿入口に合わせるようにする。そして、ブレード２ｃを鍵穴１３の先端挿入口に嵌め合せたならば、鍵穴１３の先端部の案内面１３Ａは、鍵穴本体１３Ｂの受入口の縁部分ｂに向かって徐々に絞りこまれているので、今仮に保持体１を適当な挟持力で摘みながら該鍵穴本体１３Ｂ方向に押し込むと、ブレード２ｃは外広状案内面１３Ａに摺接状態で制御（補正）されるので、傾倒状態にあるブレード２ｃは水平状態となり、スムースに鍵穴本体１３Ｂの受入口の縁部分ｂに至る。
【００３０】
そこで、さらに保持体１を押し込むと、ブレード２ｃのキーコード８と内筒１２の回転軸と直交する軸直角断面上に位置するタンブラー２０とが一致する。この時、ブレード２ｃ乃至保持体１の中心が内筒１２の回転軸Ｏと一致すると共に、ブレード２ｃの先端部の外周面と鍵穴１３の内周面が互いに係合する。
【００３１】
挿入後、今度は、保持体１の貫通状開口部３から見える保持体１の左右の両側面を指ｆ１、ｆ２で摘まみながら保持体１を施・解錠方向へと回せば良い。
【００３２】
ところで、周知事項であるが、念のために、例えば図１４、図１７を参照にして、付勢バネ１９、タンブラー２０等の構成を説明する。タンブラー２０は、係合ピン１７とドライバー１８とから成る。前記係合ピン１７は、貫通孔１６内で摺動可能な係合先端部分を有する軸部１２ａと、該軸部１２ａの外方に連設し、かつドライバー１８に接触可能な係合鍔とからなる。係合ピン１７は、付勢バネ１９の弾発力によって、通常はドライバー１８と共に内方（鍵穴方向）へ付勢されるが、ピン孔１５と貫通孔１６との段差部に係合鍔が当接することにより、内方への移動が規制されている。したがって、タンブラー２０は、内側の係合ピン１７と、外側のドライバー１８とで構成され、付勢バネ１９のバネ力により、前記係合ピン１７の半円弧状係合先端部分が常に所定量鍵穴１３に突出している。
【００３３】
実施形態では、タンブラー２０のピン孔１４、１５は、上方と下方にそれぞれ軸方向に一直線に複数並んで列を成しているが、上下の各タンブラー２０は、回転対称を考えて、例えば錠本体（内筒１２と外筒１１）Ｘを半径方向に裁断した軸直角断面上にそれぞれ位置している。そして、上下の各タンブラー２０の円弧状係合先端部分は、鍵Ｙを鍵穴１３に挿入した際には、窪み８の略中心を通る。つまり、内筒１２の回転軸と直交するタンブラー２０用のピン孔１４、１５の半径方向の軸線と合鍵としての鍵Ｙの窪み８の中心を通る軸線は完全に一致する。
【００３４】
なお、図１３は内筒側の係合ピン１７と４回転対称の棒状ブレード２ｃのキーコード８の一例としての窪みとの整合性を示す説明図である。また図１４は錠前Ｘの軸方向の概略断面説明図であるが、便宜上、タンブラー２０を全て実線で示している。さらに、図１５の（ａ）と（ｂ）は内筒１２の回転軸に対して直交する軸直角方向の概略断面説明図であるが、それぞれ断面位置が相違する。
【００３５】
以上の通りであるから、本発明は、立体的形状の表面に単数又は複数の貫通状開口部３を有する保持体１と、該保持体に回転自在に単数又は複数の水平軸２ｂ、２ｅを介して軸支され、その摘み部２ａが前記貫通状開口部３内に位置すると共に、外周面が３回転対称以上の多角形状に形成され、かつ前記外周面にキーコード８を有するブレード２ｃが前記保持体４の先端部から突出する鍵本体２とから成る錠前用の鍵Ｙであって、前記保持体１は錠前の内筒１２の鍵穴１３に挿入する際に使用される第一次操作部分であり、一方、前記鍵本体２の摘み部２ａは前記ブレード２ｃを前記鍵穴１３に完全に挿入した後に前記貫通状開口部を介して使用される第２次操作部分であり、前記鍵穴１３の外拡案内面１３Ａに前記ブレード２ｃの先端部２ｄが当たって誘導される時、前記保持体１のみを指で摘まんでいる状態の場合、前記鍵本体２は前記保持体１に保持された状態で回転可能であり、また、前記ブレード２ｃが前記鍵穴１３に完全に入り込んだ時には、前記摘み部２ａを直接指で摘まんで前記錠前Ｘを施・解錠するものである。
【実施例】
【００３６】
以下、この実施例の欄では、作用・効果が同一である本発明の他の実施形態を説明する。なお、説明の便宜上、第１実施形態等と同一の部分には、同一或いは同様の符号を付して重複する説明を割愛する。
【００３７】
図１９乃至図２３は第２実施形態を示す各説明図である。この第２実施形態が前記第１実施形態と主に異なる事項は、鍵本体２Ａの摘み部２ａの立体的形状である。また前記摘み部２ａの立体的形状に対応して、該摘み部２ａを内包する保持体１Ａの形状も、適宜に設計変更され、該保持体の貫通状開口部（透孔）３Ａは、鍵本体２Ａの摘み部２ａを、少なくとも二本の指で摘まむことができるように表面１ａ（この実施形態では対向側面１ｂ、１ｂに対する周方向の側周表面）の一部の複数個所（実施形態では４個所）のいずれかに形成され、また前記摘み部２ａの基本的な外観形状は、円形或いは多角形の短柱、球体、ビヤ樽、すい台のいずれかに形成されている。保持体１Ａ及び鍵本体２Ａの摘み部２ａの各種形状をそれぞれ図面に示すことは割愛し、ここでは、典型例として「ビヤ樽形状の摘み部２ａ」と、該ビヤ樽形状の摘み部２ａを内包すると共に、外周表面の周方向に、例えば親指ｆ１と人差し指ｆ２と中指ｆ３の各先端面がそれぞれ入り込む大きさに形成された、少なくとも合計３個の貫通状開口部（透孔）３Ａを有する保持体１Ａとを示す。もちろん、前記保持体１Ａの貫通状開口部（透孔）３Ａは、第１実施形態の貫通状開口部（透孔）３と同様に上下又は左右或いはまた対角線方向に対向側面に形成されたものであっても良い。
【００３８】
ところで、第２実施形態の摘み部２ａの外観形状は「ビヤ樽形状」なので、表面の一部に相当する外周面イは摘み部分に相当し、一方、前後の側面ロは支持部に相当するので、後側面ロにはフランジ２ｆを有する後方軸部２ｅが設けられていると共に、前側面には前方軸部２ｂが設けられている。
【００３９】
したがって、保持体１Ａの側周表面１ａのみならず、その内周面もビヤ樽形状となっており、その周方向に略等間隔に円形又は楕円状の貫通状開口部（透孔）３Ａが複数個形成されている。なお、保持体１Ａの側周表面１ａの先端部側を搾るような形状にしても良い。
【００４０】
図２４乃至図２７は第３実施形態を示す各説明図である。この第３実施形態が前記第１実施形態と主に異なる事項は、保持体１Ｂが鍵本体２Ｂの摘み部２ａを内包しない点である（図２４参照）。したがって、前記保持体１Ｂの対向側面１ｂ、１ｂ（先端面と後端面）に対する周方向の表面（側周表面）１ａには、例えば第２実施例の図２１で示した保持体１Ａの如く貫通状開口部（複数の透孔）３Ａは存在しない。また第１実施例又は第２実施例で説明した前方の軸孔６と後方の軸孔５との明確な区別は存在しない。
【００４１】
ここで、説明の便宜上、図２４を基準にして、保持体１Ｂの先端部、先端面、後端部、後端面の各用語を説明すると、鍵本体２Ｂのブレード側が保持体１Ｂの「先端部」、「先端面」であり、鍵本体２Ｂの摘み部２ａ側が保持体１Ｂの後端部、後端面である。
【００４２】
したがって、図２５を基準にすると、周方向の表面（側周表面）１ａが曲面状の略円錐台形状に形成された保持体１Ｂの手前側に見える大きな円形輪郭の面が「後端面」であり、該後端面を含む手前側の大径部分が「後端部」に相当する。それ故に、後端面とは反対側の首状の小径部分の先が「先端面」であり、該先端面を含む小径部分が「先端部」に相当する。
【００４３】
また鍵本体２Ｂの「先端部」、「先端面」等の概念も保持体１Ｂの先端部、先端面と同様に、鍵本体２Ｂの「先端部」はブレード２ｃ側であり、一方、摘み部２ａが「後端部」である。
【００４４】
したがって、同様に図２５を基準にすると、手前側の曲面状の略円錐台形状に形成されたものが「摘み部２ａ」で、次に該摘み部２ａに一体的に設けられた或いは一体成形されたものが外周面の輪郭が真円形状の「水平軸部２ｂ」で、次に該水平軸部２ｂ一体的に設けられた或いは一体成形されたものが「ブレード２ｃ」であり、以下、その余の構成は第１実施形態又は第２実施形態と同様ということになる。
【００４５】
但し、この第３実施形態では、保持体１Ｂの後端面１ｂが鍵本体２Ｂの摘み部２ａの先端面に略ぴったりと接合することが望ましいので、前記真円形状の水平軸部２ｂと多角形のブレード２ｃの境目に係合溝７ａを形成し、該係合溝７ａと、該係合溝７ａに係着する略Ｃリング、略Ｅリング等の係合片７ｂとで保持体１Ｂの軸方向への移動を防止する移動防止手段７を備えている点が第１実施形態又は第２実施形態と相違する。
【００４６】
しかして、第３実施形態の錠前用の鍵Ｙは、先端部から後端部に向かって水平軸孔６Ａを有する外周面円形又は外周面多角形の筒状保持体１Ｂと、該筒状保持体１Ｂに回転自在に軸支され、その摘み部２ａが該筒状保持体１Ｂの前記先端部又は後端部のいずれかに位置するように水平軸部２ｂが前記水平軸孔６Ａに嵌挿されていると共に、外周面が３回転対称以上の多角形状に形成され、かつ前記外周面にキーコード８を有するブレード２ｃが前記筒状保持体１Ｂの先端部側に突出する鍵本体２Ｂとから成る錠前用の鍵であって、前記筒状保持体１Ｂは錠前Ｘの内筒１２の鍵穴１３に挿入する際に指で摘まんで使用される第一次操作部分としたものであり、これに対して、前記鍵本体２Ｂの摘み部２ａは前記ブレード８を前記鍵穴１３に完全に挿入した後に該摘み部２ａの表面イを指で摘まんで使用される第２次操作部分とした構成である。  
【００４７】
また図２８乃至図３１は第４実施形態を示す各説明図である。この第４実施形態は前記第３実施形態と同一構成なので、同一の部分には第３実施形態と同一の符号を付して重複する説明を割愛する。
【００４８】
しかして、この第４実施形態が前記第３実施形態と主に異なる事項は、（ａ）保持体１Ｃが鍵本体２Ｃの摘み部２ａの後方に位置している点、簡単に言えば、保持体１Ｃと摘み部２ａの位置が全く逆になっている。（ｂ）鍵本体２Ｃの摘み部２ａには、保持体１Ｃの水平軸孔６Ａと軸方向に一致するブレード回転防止用の水平軸孔（例えば断面楕円形状、角形状）１０が貫通状態に形成されている点、（ｃ）その他細部的事項ではあるが、前記ブレード回転防止用の水平軸孔は小径孔と大径孔とを有し、該摘み部２ａが軸方向に移動しないような構成としている点、（ｃ）移動防止手段７を構成する係合溝７ａと係合片７ｂが水平軸部２ｂの後端部に設けられている点である。
【００４９】
また図３２乃至図３６は第５実施形態を示す各説明図である。この第５実施形態は第１実施形態と一部が同一構成なので、同一の部分には第１実施形態と同一の符号を付して重複する説明を割愛する。しかして、この第５実施形態が前記第１実施形態と主に異なる事項は、（ａ）鍵Ｙを構成する保持体１Ｄの開口部３Ｄが透孔状の開口部ではなく、対向側面１ａ、１ａ及び側周表面１ｂの後端面がそれぞれ切欠され、全体として正面視略コ字形状の切欠部である点、つまり、保持体１Ｄの後端部の表面が三面開口の切欠部３Ｄである点、（ｂ）鍵本体２Ｄの摘み部２ａが円柱状に形成され、表面としての外周面イが保持体１Ｄの表面としての対向側面１ａ、１ａから膨出状に食み出ている点、（ｃ）摘み部２ａは、保持体１Ｄの後端面が開口しているため、後方の軸部を有しない点、（ｄ）ブレード２ｃの後方にある水平軸部２ｂの後端部が保持体１Ｄの前方軸孔６を貫通して摘み部２ａの先端部の中央部に固定的に嵌入している点等である。なお、細部的事項として、この第５実施形態の摘み部２ａの外観形状は円柱状であるが、もちろん、摘み部２ａの外観形状を、球状、球冠状、球台状、角柱状等に形成しても良いし、また摘み部２ａの表面に摩擦機能を待たせるために多数の溝、セレーション等を形成した摩擦面にしても良い。さらに、摘み部２ａの表面が、必ずしも、保持体１Ｄの対向側面１ａ、１ａから膨出状に食み出させる必要はない。要するに、摘み部２ａを挟持することができる形態であれば良い。
また図３７乃至図４１は第６実施形態を示す各説明図である。この第６実施形態は前記第５実施形態と同一構成なので、同一の部分には第５実施形態と同一の符号を付して重複する説明を割愛する。
【００５０】
しかして、この第６実施形態が前記第５実施形態と主に異なる事項は、（ａ）鍵Ｙを構成する保持体１Ｅの三面開口の切欠部３Ｅを該保持体１Ｅの先端部に形成した点、簡単に言えば、前記切欠部３Ｅの位置が全く逆になっている。（ｂ）鍵本体２Ｅの摘み部２ａは、その後端面に水平軸部２ｅを有し、該水平軸部２ｅの後端部に肉厚状（短柱）のフランジ２ｆが一体的に設けられている点である。その他の細部的事項の説明は割愛する。
【００５１】
また図４２乃至図４６は第７実施形態を示す各説明図である。この第７実施形態は第５実施形態と一部が同一構成なので、同一の部分には第５実施形態と同一の符号を付して重複する説明を割愛する。しかして、この第７実施形態が前記第５実施形態と主に異なる事項は、第５実施形態の開口部に相当する三面開口の切欠部が、一側表面と該一側表面に直交する後端面がそれぞれ連通状態である二面開口の切欠部３Ｆである点である。この第７実施形態の保持体１Ｆも第５実施形態と同様にその後端部の表面に切欠部３Ｆを形成しているが、第６実施形態と同様に保持体１Ｆの先端部に前記切欠部３Ｆを形成しても良い。また摘み部２ａの外観形状も第５実施形態と同様に円柱状であるが、球状、球冠状、球台状、角柱状等に形成しても良いし、また摘み部２ａの表面に摩擦機能を待たせるために多数の溝、セレーション等を形成した摩擦面にしても良い。さらに、摘み部２ａの表面が、必ずしも、保持体１Ｆの対向側面１ａ、１ａから膨出状に食み出させる必要はない。
【００５２】
しかして、図４５は、鍵Ｙを鍵穴に挿入する時、保持体１Ｆを摘まんでいる状態を示す概略説明図、図４６は鍵を鍵穴に挿入した後、鍵本体２Ｆの摘み部２ａの表面及び保持体１Ｆの他側表面１ａの両方を指で摘まんでいる状態を示す概略説明図である。前記図４５で示すように、第７実施形態は、鍵本体２Ｆを錠前の鍵穴に挿入した後、施・解錠する場合には、摘み部２ａの対向側面や対向する表面を摘まむのではなく、保持体１Ｆから露呈している摘み部２ａの表面イと保持体１Ｆの切欠を有しない他側表面１ａを同時に摘まむ点が相違する。
【００５３】
最後に、図４７乃至図４９は第８実施形態を示す各説明図である。この第８実施形態は第７実施形態と一部が同一構成なので、同一の部分には第７実施形態と同一の符号を付して重複する説明を割愛する。しかして、この第８実施形態が前記第７実施形態と主に異なる事項は、（ａ）保持体１Ｇの開口部に相当する切欠部が、その一側表面１ａに形成された凹陥部３Ｇである点、（ｂ）鍵本体２Ｇの摘み部２ａの後端面に後方の水平軸２ｅ及び肉厚状のフランジ２ｆが一体的に設けられている点等である。
【００５４】
なお、第８実施形態の鍵Ｙを錠前の鍵穴に挿入する際の保持体１Ｇの摘み態様及び鍵穴に挿入後の摘み部２ａの摘み態様は、第７実施形態と同様なので、詳細な説明と図面は割愛する。また、前述したように、保持体１Ｇや摘み部２ａの形態は任意に設計変更し得る事項である。
【産業上の利用可能性】
【００５５】
本発明は主に建具のシリンダー錠用の鍵として利用可能である。
【符号の説明】
【００５６】
Ｘ…錠前、
Ｙ…鍵、
１、１Ａ乃至１Ｇ…保持体、
２、２Ａ乃至２Ｇ…鍵本体、
３…開口（透孔）、或いは切欠部、或いは又凹陥部、
４…係合孔、
５…貫通状支持孔（軸孔）、
７…移動防止手段、
２ａ…摘み部
２ｂ…前方軸部
２ｃ…ブレード、
２ｄ…被誘導先端部分、
２ｅ…後方軸部、
２ｆ…フランジ、
８…キーコード、
１１…外筒、
１２…内筒、
１３…鍵穴、
１３Ａ…外拡案内面、
ａ…鍵穴１３の先端部（挿入口の縁部分）、
１３Ｂ…鍵穴本体、
１４、１５…ピン孔、
１６…貫通孔、
１７…係合ピン、
１８…ドライバー、
１９…付勢バネ、
２０…可動障害子。
【図１】
2016138423.tif 000003
【図２】
2016138423.tif 000004
【図３】
2016138423.tif 000005
【図４】
2016138423.tif 000006
【図５】
2016138423.tif 000007
【図６】
2016138423.tif 000008
【図７】
2016138423.tif 000009
【図８】
2016138423.tif 000010
【図９】
2016138423.tif 000011
【図１０】
2016138423.tif 000012
【図１１】
2016138423.tif 000013
【図１２】
2016138423.tif 000014
【図１３】
2016138423.tif 000015
【図１４】
2016138423.tif 000016
【図１５】
2016138423.tif 000017
【図１６】
2016138423.tif 000018
【図１７】
2016138423.tif 000019
【図１８】
2016138423.tif 000020
【図１９】
2016138423.tif 000021
【図２０】
2016138423.tif 000022
【図２１】
2016138423.tif 000023
【図２２】
2016138423.tif 000024
【図２３】
2016138423.tif 000025
【図２４】
2016138423.tif 000026
【図２５】
2016138423.tif 000027
【図２６】
2016138423.tif 000028
【図２７】
2016138423.tif 000029
【図２８】
2016138423.tif 000030
【図２９】
2016138423.tif 000031
【図３０】
2016138423.tif 000032
【図３１】
2016138423.tif 000033
【図３２】
2016138423.tif 000034
【図３３】
2016138423.tif 000035
【図３４】
2016138423.tif 000036
【図３５】
2016138423.tif 000037
【図３６】
2016138423.tif 000038
【図３７】
2016138423.tif 000039
【図３８】
2016138423.tif 000040
【図３９】
2016138423.tif 000041
【図４０】
2016138423.tif 000042
【図４１】
2016138423.tif 000043
【図４２】
2016138423.tif 000044
【図４３】
2016138423.tif 000045
【図４４】
2016138423.tif 000046
【図４５】
2016138423.tif 000047
【図４６】
2016138423.tif 000048
【図４７】
2016138423.tif 000049
【図４８】
2016138423.tif 000050
【図４９】
2016138423.tif 000051